(57)【要約】      （修正有）【課題】放熱の効率が向上された半導体パッケージ構造を提供する。【解決手段】フレキシブル基板５１は、入力端５１１と出力端５１２を含む配線層５１３と、配線層５１３を両側から覆う第１の電気絶縁層５１４と第２の電気絶縁層５１５とを有する。半導体素子５２は、配線層５１３と電気的に連結されるよう配線層５１３に設置されている。プリント回路基板５４は、配線層５１３の入力端５１１に隣接して配置されていると共に、配線層５１３と電気的に連結されている配線部５４１を有する。第１の伝熱部材５４２は、配線部５４１と間隔を置いてプリント回路基板５４と接触するように設けられている。第２の伝熱部材５３は、第１の電気絶縁層５１４と第２の電気絶縁層５１５のいずれか一方と接触するように設けられている本体部５３１と、本体部５３１から延伸して第１の伝熱部材５４２と接触している第１の延伸部５３２とを有する。【選択図】図３
2016146479.tif 000002
【特許請求の範囲】
【請求項１】
互いに離間した入力端および出力端を含む配線層と、前記配線層を厚み方向両側からそれぞれ覆うように設けられている第１の電気絶縁層および第２の電気絶縁層と、を有するフレキシブル基板と、
前記配線層と電気的に連結されるように前記配線層に設置されている半導体素子と、
前記フレキシブル基板の前記配線層の前記入力端に隣接して配置されていると共に、前記配線層と電気的に連結されている配線部を有するプリント回路基板と、
前記配線部と間隔を置いて前記プリント回路基板と接触するように設けられている第１の伝熱部材と、
前記第１の電気絶縁層と前記第２の電気絶縁層とのいずれか一方と接触するように設けられている本体部と、前記本体部から延伸して前記第１の伝熱部材と接触するように形成されている第１の延伸部とを有する第２の伝熱部材と、を備えることを特徴とする半導体パッケージ構造。
【請求項２】
前記第１の伝熱部材および前記第２の伝熱部材がそれぞれ金属を含むように構成されている、請求項１に記載の半導体パッケージ構造。
【請求項３】
前記金属が銅である、請求項２に記載の半導体パッケージ構造。
【請求項４】
前記第１の伝熱部材および前記第２の伝熱部材がそれぞれカーボン複合材料を含むように構成されている、請求項１に記載の半導体パッケージ構造。
【請求項５】
前記フレキシブル基板の前記配線層は、それぞれ前記入力端と間隔を置いて設けられている上に前記第１の電気絶縁層に覆われていない２つの互いに離間した接続部を更に含み、
前記半導体素子は、前記半導体素子の一面からそれぞれ突起して前記フレキシブル基板の前記配線層の各前記接続部にそれぞれ接触している２つの接続ブロックを有する、請求項１〜４のいずれか一項に記載の半導体パッケージ構造。  
【請求項６】
前記第２の伝熱部材の前記本体部は、前記第２の電気絶縁層と接触するように且つ前記半導体素子に位置対応するように設けられてい
る、請求項５に記載の半導体パッケージ構造。
【請求項７】
前記半導体素子は、前記フレキシブル基板の前記配線層の前記入力端および前記出力端の間に配置されており、
前記第２の伝熱部材は、前記本体部から前記出力端に向かって延伸するように形成されている第２の延伸部を更に有する、請求項５に記載の半導体パッケージ構造。
【請求項８】
前記半導体素子は、前記一面の反対面と、前記一面と前記反対面とを繋ぐ外側面とを有し、前記外側面が樹脂層に覆われている、請求項５に記載の半導体パッケージ構造。
【請求項９】
前記第２の伝熱部材の前記本体部は、前記第１の電気絶縁層と接触するように前記入力端および前記半導体素子の間に設けられている、請求項５に記載の半導体パッケージ構造。
【請求項１０】
前記半導体素子の前記反対面も前記樹脂層に覆われており、
前記第２の伝熱部材は、前記本体部から延伸して前記樹脂層を覆うように形成されている第２の延伸部を更に有する、請求項８に記載の半導体パッケージ構造。
【請求項１１】
前記半導体素子は、前記フレキシブル基板の前記配線層の前記入力端および前記出力端の間に配置されており、
前記第２の伝熱部材の前記第２の延伸部は、前記本体部から延伸して前記樹脂層を覆ってから更に前記出力端に向かって延伸するように形成されている、請求項１０に記載の半導体パッケージ構造。
【発明の詳細な説明】
【技術分野】
【０００１】
本発明は半導体パッケージ構造に関し、特にはディスプレイパネルに用いられる半導体パッケージ構造に関する。
【背景技術】
【０００２】
液晶ディスプレイの技術発展に伴い、要求されるリフレッシュレートが高まっている。例えば４Ｋ  ＵＨＤディスプレイ（解像度３８４０×２１６０ピクセル）や３Ｄディスプレイでは、要求されるリフレッシュレートが、従来（通常６０Ｈｚ）よりも遥かに高い１２０Ｈｚとなっている。そして、リフレッシュレートが高くなれば、ディスプレイを駆動するためのドライバーＩＣ（駆動集積回路）の負荷も大きくなり、発熱量も増える。液晶ディスプレイの作動中に、ドライバーＩＣの発熱が効率的に発散されないと、ドライバーＩＣ上にホットスポットが発生し、熱によりＩＣが誤動作を起こす恐れがある。
【０００３】
図１は、ディスプレイパネル２とプリント回路基板３の間に両者とそれぞれ連結されるように配置されたディスプレイ用ドライバーＩＣ１２を含む従来の半導体パッケージ構造１が示されている（例えば特許文献１参照）。
【０００４】
図示のように、半導体パッケージ構造１は、フレキシブル基板１１と、フレキシブル基板１１にそれぞれ配置されているドライバーＩＣ１２およびアルミニウム製放熱部材１３と、放熱部材１３に配置されている補強部材１４とを備える。放熱部材１３は、ドライバーＩＣ１２と補強部材１４とに挟まれるように配置されている。フレキシブル基板１１は、互いに離間した入力端１１１と出力端１１２を有し、入力端１１１がプリント回路基板３に連結され、出力端１１２がディスプレイパネル２に連結されている。
【０００５】
ディスプレイパネル２は、バックライトユニット（図示せず）に近い側の面である背面２１と、その反対側の面であり偏光板（図示せず）に積層されている正面２２とを有し、正面２２側で画像を表示する。さらに、半導体パッケージ構造１、ディスプレイパネル２、バックライトユニットを組み込んで液晶ディスプレイモジュールを構成するためにフレームユニット４が用いられている。
【０００６】
この従来の半導体パッケージ構造１において、ドライバーＩＣ１２で発生する熱は、放熱部材１３を介してフレキシブル基板１１の両端（入力端１１１と出力端１１２）に伝わり放熱される。言い換えると、ドライバーＩＣ１２で発生する熱を効率的に放熱できる経路はフレキシブル基板１１の両端に限られている。さらに、小型化および軽量化を要求されるディスプレイモジュールの場合、半導体パッケージ構造１に接触するフレームユニット４も、アルミニウムではなく、より軽量化を図れる強化プラスチックで構成されることが多いが、プラスチックの熱伝導率はアルミニウムより更に劣る。具体的に言うと、フレームユニット４に用いられる強化プラスチックは、通常エポキシ樹脂を主に含む複合材料であり、エポキシ樹脂の熱伝導率は約０．１９Ｗ／ｍＫと、アルミニウムの２３７Ｗ／ｍＫに比べて遥かに低く、軽量化のために放熱効率が犠牲になっている。
【先行技術文献】
【特許文献】
【０００７】
【特許文献１】台湾特許第Ｉ４４１２９８号公報
【発明の概要】
【発明が解決しようとする課題】
【０００８】
上述した従来の半導体パッケージ構造では、半導体パッケージ構造１を介した放熱がドライバーＩＣの発熱に追いつかず、半導体パッケージ構造１内のフレキシブル基板１１でホットスポットを生じてしまうという問題が起こり得る。
【０００９】
本発明は、上述した従来技術の問題点に鑑みてなされたものであり、その目的は、放熱の効率が向上された半導体パッケージ構造を提供することにある。
【課題を解決するための手段】
【００１０】
上記目的を達成する手段として、本発明は、以下の手段を提供する。即ち：
互いに離間した入力端および出力端を含む配線層と、前記配線層を厚み方向両側からそれぞれ覆うように設けられている第１の電気絶縁層および第２の電気絶縁層と、を有するフレキシブル基板と、
前記配線層と電気的に連結されるように前記配線層に設置されている半導体素子と、
前記フレキシブル基板の前記配線層の前記入力端に隣接して配置されていると共に、前記配線層と電気的に連結されている配線部を有するプリント回路基板と、
前記配線部と間隔を置いて前記プリント回路基板と接触するように設けられている第１の伝熱部材と、
前記第１の電気絶縁層と前記第２の電気絶縁層とのいずれか一方と接触するように設けられている本体部と、前記本体部から延伸して前記第１の伝熱部材と接触するように形成されている第１の延伸部とを有する第２の伝熱部材と、を備えることを特徴とする半導体パッケージ構造を提供する。
【発明の効果】
【００１１】
上記手段によれば、前記半導体素子が前記フレキシブル基板の前記配線層に設置され、前記配線層を覆うように前記第１の電気絶縁層および前記第２の電気絶縁層が設けられ、前記第２の伝熱部材が前記第１の電気絶縁層と前記第２の電気絶縁層とのいずれか一方と接触するように且つ前記第１の伝熱部材と接触するように設けられ、前記第１の伝熱部材は前記プリント回路基板と接触するように設けられているので、前記半導体素子が発する熱は、前記配線層、前記第１の電気絶縁層および前記第２の電気絶縁層のいずれか一方、前記第２の伝熱部材、前記第１の伝熱部材を介して前記プリント回路基板に伝達される。従って、放熱の効率が向上され、前記半導体素子の過熱を防止することができる。
【図面の簡単な説明】
【００１２】
【図１】従来の半導体パッケージ構造が示されている断面図。
【図２】本発明に係る半導体パッケージ構造の第１の実施形態を示す上面図。
【図３】図２のIII―III線における断面を示した断面図。
【図４】本発明に係る半導体パッケージ構造の第２の実施形態を示す上面図。
【図５】図４のＶ―Ｖ線における断面を示した断面図。
【図６】本発明に係る半導体パッケージ構造の第３の実施形態を示す上面図。
【図７】図６のVII―VII線における断面を示した断面図。
【発明を実施するための形態】
【００１３】
以下、図面を参照しながら本発明の具体的な実施形態を複数挙げて本発明を詳説する。
【００１４】
＜第１の実施形態、図２、図３＞
本発明に係る半導体パッケージ構造５の第１の実施形態が、図２（上面図）、図３（図２のIII-III線での断面図）に示されている。なお、本発明に係る半導体パッケージ構造５は、ディスプレイモジュールにおけるディスプレイパネル２と共に用いるのに適するよう構成されたものである。
【００１５】
半導体パッケージ構造５は、フレキシブル基板５１と、半導体素子５２と、プリント回路基板５４と、第１の伝熱部材５４２と、第２の伝熱部材５３とを備える。また、ディスプレイパネル２は、バックライトユニット（図示せず）に近い側の面である背面２１と、偏光板（図示せず）が積層されていて画像を表示する側の面である正面２２とを有するものである。
【００１６】
なお、本発明に係る半導体パッケージ５と共に用いられるディスプレイパネル２としては、液晶ディスプレイパネルでもよく、アクティブマトリクス型有機エレクトロルミネッセンス（ＡＭＯＬＥＤ）ディスプレイパネルでもよい。
【００１７】
フレキシブル基板５１は、互いに離間した入力端５１１および出力端５１２を含む配線層５１３と、配線層５１３を配線層５１３の厚み方向両側からそれぞれ覆うように設けられている第１の電気絶縁層５１４および第２の電気絶縁層５１５とを有する。
【００１８】
配線層５１３は更に、その第１の電気絶縁層５１４に覆われている側の面の一部分において、それぞれ入力端５１１と間隔を置いて設けられている上に第１の電気絶縁層５１４に覆われずに露出している２つの互いに離間した接続部５１６、５１６を含む。
【００１９】
配線層５１３は、電気伝導率および熱伝導率が共に良好な銅を材料として含むように構成されている。第２の電気絶縁層５１５は、配線層５１３を支持する支持層として働き、具体的にはポリイミドからなるフィルムを用いることができる。第１の電気絶縁層５１４は、配線層５１３を保護するソルダレジスト層として働き、具体的にはポリイミド樹脂を主に含む材料で構成することができる。
【００２０】
半導体素子５２は、本実施形態においてディスプレイパネル２を駆動するためのドライバーＩＣであり、フレキシブル基板５１の配線層５１３の入力端５１１および出力端５１２の間で配線層５１３と電気的に連結されるように配線層５１３に設置されている。また、半導体素子５２は、配線層５１３に連結される側の面である一面５２４と、一面５２４の反対面５２１と、一面５２４および反対面５２１とを繋ぐ外側面５２２とを有し、外側面５２２は樹脂層５５に覆われている。
【００２１】
半導体素子５２の一面５２４には、一面５２４からそれぞれ突起して配線層５１３の各接続部５１６にそれぞれ接触している２つの接続ブロック５２３、５２３が設けられており、各接続部５１６と各接続ブロック５２３との接触により半導体素子５２と配線層５１３とが電気的に連結される。なお、各接続ブロック５２３は金を材料として構成されており、各接続部５１６はスズで覆われている。各接続ブロック５２３は各接続部５１６に接合されており、この接合は例えば共晶接合（本実施形態の場合Au／Sn共晶接合）であってもよく、または異方性導電ペースト（anisotropic conductive paste、ＡＣＰ）を用いた接合でもよく、従来技術で用いられ得る種々の接合方法を適用することができる。
【００２２】
プリント回路基板５４は、フレキシブル基板５１の配線層５１３の入力端５１１に隣接して配置されていると共に、配線層５１３と電気的に連結されている配線部５４１を有する。なお、配線部５４１は材料として銅を含むように構成されている。
【００２３】
第１の伝熱部材５４２は、配線部５４１と間隔を置いてプリント回路基板５４と接触するようにプリント回路基板５４上に設置されている。また、第１の伝熱部材５４２は、材料として金属を含むように構成されており、該金属としては銅が好ましい。
【００２４】
本実施形態においては、配線部５４１と第１の伝熱部材５４２としてそれぞれ、銅メッキが施され、その銅メッキ層に更にニッケル金（Ｎｉ／Ａｕ）層がメッキされるように表面処理が施された金属パッドが用いられている。酸化しにくい特性を有する金を材料に用いることにより、配線部５４１と第１の伝熱部材５４２との表面酸化が防がれる。
【００２５】
第２の伝熱部材５３は、本体部５３１と、第１の延伸部５３２と、第２の延伸部５３３とを有する。本体部５３１は、第１の電気絶縁層５１４と第２の電気絶縁層５１５とのいずれか一方と接触するように設けられる部分で、本実施形態では図３に示されるように第２の電気絶縁層５１５と接触するように第２の電気絶縁層５１５に設置され、且つ半導体素子５２に位置対応するように配置されている。第１の延伸部５３２は、本体部５３１から配線層５１３の入力端５１１側に延伸してプリント回路基板５４の第１の伝熱部材５４２と接触するように形成されている。第２の延伸部５３３は、本体部５３１から配線層５１３の出力端５１２に向かって延伸するように形成されている。
【００２６】
また、第２の伝熱部材５３は、金属を含み熱伝導率がおよそ４０１Ｗ／ｍＫとなる材料により構成されており、該金属としては銅が好ましい。
【００２７】
更に、別例として、プリント回路基板５４の第１の伝熱部材５４２および第２の伝熱部材５３をそれぞれ、カーボン複合材料を含み熱伝導率がおよそ４００Ｗ／ｍＫとなる材料により構成することもできる。このような材料により構成することで、上記従来の半導体パッケージ構造１におけるアルミニウム製放熱部材１３（熱伝導率はおよそ２３７Ｗ／ｍＫ）よりも、遥かに良好な伝熱性を備えることができる。
【００２８】
稼動時には、プリント回路基板５４の配線部５４１から発信された電気信号が、フレキシブル基板５１の配線層５１３を介して、半導体素子５２に伝送される。半導体素子５２は、電気信号がジュール効果によって熱に変わることで発熱源となる。ここで、第２の伝熱部材５３の本体部５３１が、第２の電気絶縁層５１５と接触するように設けられている上に半導体素子５２に位置対応するように配置されているので、半導体素子５２で発生した熱は、第２の伝熱部材５３の本体部５３１そして第１の延伸部５３２を介して、プリント回路基板５４の第１の伝熱部材５４２に効率的に伝わる。これにより半導体素子５２の過熱を防止できる。また、プリント回路基板５４上にある銅配線により放熱の有効範囲が増すので、これによって半導体素子５２の過熱を防止する効果が更に高まる。
【００２９】
＜第２の実施形態、図４、図５＞
本発明に係る半導体パッケージ構造５の第２の実施形態が、図４（上面図）、図５（図４のＶ−Ｖ線での断面図）に示されている。概ね上記第１の実施形態と構成が同じであり、その違いを以下に説明する。
【００３０】
本実施形態においては、図５に示されているように、半導体素子５２の外側面５２２だけでなく、反対面５２１（配線層５１３に連結されない側の面）も、樹脂層５５に覆われている。
【００３１】
また、第１の伝熱部材５４２は、プリント回路基板５４において配線部５４１が設けられている面の反対面に設けられている。
【００３２】
第２の伝熱部材５３の本体部５３１は、第１の電気絶縁層５１４と接触するように配線層５１３の入力端５１１および半導体素子５２の間に設けられている。第１の延伸部５３２は、本体部５１３から、プリント回路基板５４の外側面（配線部５４１が設けられている面と第１の伝熱部材５４２が設けられている面とを繋ぐ面）に沿って延伸して第１の伝熱部材５４２と接触するように形成されている。第２の延伸部５３３は、本体部５３１から延伸して樹脂層５５を覆ってから更に配線層５１３の出力端５１２に向かって延伸するように形成されている。なお、第２の延伸部５３３は、樹脂層５５に接触している。
【００３３】
＜第３の実施形態、図６、図７＞
本発明に係る半導体パッケージ構造５の第３の実施形態が、図６（上面図）、図７（図６のVII―VII線での断面図）に示されている。概ね上記第２の実施形態と構成が同じであり、その違いを以下に説明する。
【００３４】
本実施形態においては、図７に示されているように、半導体素子５２の反対面５２１は樹脂層５５に覆われていない。また、第２の伝熱部材５３は本体部５３１と第１の延伸部５３２のみを有し、第２の延伸部５３３が省かれている。
【００３５】
上記総括すると、第２の伝熱部材５３の第１の延伸部５３２と第１の伝熱部材５４２が上述のように設けられていることにより、半導体素子５２が発する熱は、配線層５１３、第１の電気絶縁層５１４および第２の電気絶縁層５１５のいずれか一方、第２の伝熱部材５３、第１の伝熱部材５４２を介してプリント回路基板５４に伝達され放熱される。従って、放熱の効率が向上され、半導体素子５２の過熱を有効的に防止することができる。
【００３６】
以上、本発明の好ましい実施形態を説明したが、本発明はこれに限定されるものではなく、その要旨を逸脱しない範囲で種々変更可能である。
【産業上の利用可能性】
【００３７】
本発明に係る半導体パッケージ構造は、放熱の効率が向上されているので、例えば、ディスプレイパネルのドライバーＩＣを設置するものとして有用である。
【符号の説明】
【００３８】
２            ディスプレイパネル
２１          背面
２２          正面
５            半導体パッケージ構造
５１          フレキシブル基板
５１１        入力端
５１２        出力端
５１３        配線層
５１４        第１の電気絶縁層
５１５        第２の電気絶縁層
５１６        接続端
５２          半導体素子
５２１        反対面
５２２        外側面
５２３        接続ブロック
５２４        一面
５３          第２の伝熱部材
５３１        本体部
５３２        第１の延伸部
５３３        第２の延伸部
５４          プリント回路基板
５４１        配線部
５４２        第１の伝熱部材
５５          樹脂層
【図１】
2016146479.tif 000003
【図２】
2016146479.tif 000004
【図３】
2016146479.tif 000005
【図４】
2016146479.tif 000006
【図５】
2016146479.tif 000007
【図６】
2016146479.tif 000008
【図７】
2016146479.tif 000009